(57)【要約】【課題】回生制動によってスリップが発生したときに車両挙動を安定に保つことができるブレーキ制御装置を提供する。【解決手段】第１のＥＣＵ２７は、モータ・ジェネレータ５５による回生制動中に、スリップ量検出器５６の検出値に基づいて前輪２Ｌ，２Ｒがスリップしていることが検出されている間、モータ・ジェネレータ５５の回生制動量を所定量減少させたのち、その回生制動量を所定時間保持するスリップ抑制制御を繰り返して行う回生スリップ制御手段を有している。回生スリップ制御手段は、前輪２Ｌ，２Ｒがスリップしていることが検出されたときの回生制動の所定減少量を、その後のスリップ抑制制御での回生制動の所定減少量よりも大きく、かつ、旋回量検出器５７により検出された前輪２Ｌ，２Ｒの旋回量に応じて変化させて設定している。【選択図】図１
2018088735.tif 000002
【特許請求の範囲】
【請求項１】
車両に設けられる回生電動機の回生制動量を制御するとともに、各車輪に設けられ液圧を受けて移動する摩擦部材を有する摩擦制動装置を制御することにより前記車両を制動するブレーキ制御装置であって、
前記車輪のスリップ量を検出するスリップ量検出手段と、
前記回生電動機による回生制動中に、前記スリップ量検出手段の検出値がスリップ閾値を超えたときに、前記車輪がスリップしていると判断し、前記回生制動量を所定量減少させたのち、減少させた回生制動量を所定時間保持するスリップ抑制制御を繰り返して行う回生スリップ制御手段と、を有し、
該回生スリップ制御手段は、前記車輪がスリップしていることが検出されたときの第１の回生制動の所定減少量を、その後の所定保持時間経過時の前記スリップ抑制制御での第２の回生制動の所定減少量よりも大きく、かつ、前記車両の旋回量に応じて変化させて設定することを特徴とするブレーキ制御装置。
【請求項２】
前記車輪がスリップしていることが検出されたときの前記第１の回生制動の所定減少量が制限値よりも大きくなる場合には、前記第１の回生制動の所定減少量を複数に分割して、前記所定保持時間経過時までに回生制動量を減少させることを特徴とする請求項１に記載のブレーキ制御装置。
【発明の詳細な説明】
【技術分野】
【０００１】
本発明は、例えば自動車等の車両に好適に用いられるブレーキ制御装置に関する。
【背景技術】
【０００２】
例えば電気自動車やハイブリッド自動車等、走行用（駆動用）の回生電動機（モータ・ジェネレータ、発電電動機）が搭載された車両では、摩擦ライニングによる摩擦制動力と回生電動機による回生制動力との配分を制御し、車両全体で所望の制動力を得るように構成している（例えば、特許文献１参照）。
【先行技術文献】
【特許文献】
【０００３】
【特許文献１】特開２０１５−１４６６５７号公報
【発明の概要】
【発明が解決しようとする課題】
【０００４】
特許文献１による従来技術では、車体速と駆動輪の車輪速とからスリップを検知して、スリップが発生した場合には予め設定された回生制動量を減少させている。この場合、直進制動時にスリップが発生すると予め設定された回生制動量を減少させている。しかし、直進制動時に比較して、例えば旋回制動時にスリップが発生した場合には、旋回制動時に発生する横力分だけスリップの収束が遅くなり、車両挙動が不安定となったり、制動距離が増加したりする虞がある。
【０００５】
本発明は、上述した従来技術の問題に鑑みなされたもので、本発明の目的は、旋回時のスリップの収束を速やかに行うことができるブレーキ制御装置を提供する。
【課題を解決するための手段】
【０００６】
上述した課題を解決するため、本発明は、車両に設けられる回生電動機の回生制動量を制御するとともに、各車輪に設けられ液圧を受けて移動する摩擦部材を有する摩擦制動装置を制御することにより前記車両を制動するブレーキ制御装置であって、前記車輪のスリップ量を検出するスリップ量検出手段と、前記回生電動機による回生制動中に、前記スリップ量検出手段の検出値がスリップ閾値を超えたときに、前記車輪がスリップしていると判断し、前記回生制動量を所定量減少させたのち、減少させた回生制動量を所定時間保持するスリップ抑制制御を繰り返して行う回生スリップ制御手段と、を有し、該回生スリップ制御手段は、前記車輪がスリップしていることが検出されたときの第１の回生制動の所定減少量を、その後の所定保持時間経過時の前記スリップ抑制制御での第２の回生制動の所定減少量よりも大きく、かつ、前記車両の旋回量に応じて変化させて設定することを特徴としている。
【発明の効果】
【０００７】
本発明によれば、旋回量に応じて回生制動の減少量が増加するので、スリップの収束を速やかに行うことができ、車両挙動を安定に保つと共に制動距離を短くすることができる。
【図面の簡単な説明】
【０００８】
【図１】第１の実施の形態によるブレーキ制御装置が搭載された車両の概念図である。
【図２】図１中の電動倍力装置、液圧供給装置等を示す構成図である。
【図３】直進制動時、旋回制動時に駆動輪にかかる制動力とグリップ限界を示す説明図である。
【図４】ブレーキ制御装置による制御処理を示す流れ図である。
【図５】旋回量に対する回生制動量の減少量の一例を示す特性線図である。
【図６】第１の実施の形態による駆動輪回生制動量と駆動輪スリップ量の時間変化の一例を示す特性線図である。
【図７】第２の実施の形態による回生制動量の保持時間を可変とした場合の駆動輪回生制動量と駆動輪スリップ量の時間変化の一例を示す特性線図である。
【発明を実施するための形態】
【０００９】
以下、本発明の実施の形態によるブレーキ制御装置を、電気自動車やハイブリッド自動車等の回生電動機（モータ・ジェネレータ）が搭載された４輪自動車に適用した場合を例に挙げ、添付図面に従って詳細に説明する。
【００１０】
図１ないし図６は、本発明の第１の実施の形態を示している。図１において、車両のボディを構成する車体１の下側（路面側）には、例えば左，右の前輪２Ｌ，２Ｒと左，右の後輪３Ｌ，３Ｒとが設けられている。左，右の前輪２Ｌ，２Ｒには、それぞれ前輪側ホイールシリンダ４Ｌ，４Ｒが設けられ、左，右の後輪３Ｌ，３Ｒには、それぞれ後輪側ホイールシリンダ５Ｌ，５Ｒが設けられている。
【００１１】
これらのホイールシリンダ４Ｌ，４Ｒ、５Ｌ，５Ｒは、液圧式のディスクブレーキまたはドラムブレーキのシリンダを構成し、夫々の車輪（前輪２Ｌ，２Ｒおよび後輪３Ｌ，３Ｒ）毎に制動力を付与するものである。即ち、ホイールシリンダ４Ｌ，４Ｒ、５Ｌ，５Ｒは、液圧を受けて移動する摩擦ライニング（摩擦パッドまたはブレーキシュー）と共に摩擦制動装置６（例えば、ディスクブレーキ、ドラムブレーキ）を構成するものである。摩擦制動装置６は、各車輪２Ｌ，２Ｒ，３Ｌ，３Ｒに設けられ、ホイールシリンダ４Ｌ，４Ｒ、５Ｌ，５Ｒにより摩擦ライニングを車輪２Ｌ，２Ｒ，３Ｌ，３Ｒと共に回転する回転部材（ディスクまたはドラム）に押付けることにより、摩擦ライニングと回転部材との摩擦による車両の制動を行うことができる。
【００１２】
車体１のフロントボード側にはブレーキペダル７が設けられている。ブレーキペダル７は、車両のブレーキ操作時に運転者（ドライバ）によって図１および図２中の矢示Ａ方向に踏込み操作される。ブレーキペダル７には、ブレーキスイッチ７Ａと操作量検出センサ８が設けられ、ブレーキスイッチ７Ａは、車両のブレーキ操作の有無を検出して、例えばブレーキランプ（図示せず）を点灯，消灯させるものである。また、操作量検出センサ８は、ブレーキペダル７の踏込み操作量（ストローク量）または踏力を検出し、その検出信号を後述のＥＣＵ２７，３５、車両データバス２９等に出力する。ブレーキペダル７が踏込み操作されると、マスタシリンダ９には後述の電動倍力装置１７を介してブレーキ液圧が発生する。
【００１３】
図２に示すように、マスタシリンダ９は、一側が開口端となり他側が底部となって閉塞された有底筒状のシリンダ本体１０を有している。このシリンダ本体１０には、後述のリザーバ１５内に連通する第１，第２のサプライポート１０Ａ，１０Ｂが設けられ、第１のサプライポート１０Ａは、後述するブースタピストン１９の摺動変位により第１の液圧室１２Ａに対して連通，遮断される。一方、第２のサプライポート１０Ｂは、後述する第２のピストン１１により第２の液圧室１２Ｂに対して連通，遮断される。
【００１４】
シリンダ本体１０は、その開口端側が後述する電動倍力装置１７のブースタハウジング１８に複数の取付ボルト（図示せず）等を用いて着脱可能に固着されている。マスタシリンダ９は、シリンダ本体１０と、第１のピストン（後述のブースタピストン１９と入力ロッド２０）および第２のピストン１１と、第１の液圧室１２Ａと、第２の液圧室１２Ｂと、第１の戻しばね１３と、第２の戻しばね１４とを含んで構成されている。ここで、図２においては、電気回路の信号線を途中に２本の斜め線を付した細線で示しており、また、電気回路の電源線を途中に２本の斜め線を付した太線で示しており、液圧配管を途中に２本の斜め線を付していない細線で示している。
【００１５】
この場合、マスタシリンダ９は、前記第１のピストンが後述のブースタピストン１９と入力ロッド２０とにより構成され、シリンダ本体１０内に形成される第１の液圧室１２Ａは、第２のピストン１１とブースタピストン１９（および入力ロッド２０）との間に画成されている。第２の液圧室１２Ｂは、シリンダ本体１０の底部と第２のピストン１１との間でシリンダ本体１０内に画成されている。
【００１６】
第１の戻しばね１３は、第１の液圧室１２Ａ内に位置してブースタピストン１９と第２のピストン１１との間に配設され、ブースタピストン１９をシリンダ本体１０の開口端側に向けて付勢している。第２の戻しばね１４は、第２の液圧室１２Ｂ内に位置してシリンダ本体１０の底部と第２のピストン１１との間に配設され、第２のピストン１１を第１の液圧室１２Ａ側に向けて付勢している。
【００１７】
マスタシリンダ９のシリンダ本体１０は、ブレーキペダル７の踏込み操作に応じてブースタピストン１９（入力ロッド２０）と第２のピストン１１とがシリンダ本体１０の底部に向かって変位し、第１，第２のサプライポート１０Ａ，１０Ｂを遮断したときに、第１，第２の液圧室１２Ａ，１２Ｂ内のブレーキ液によりブレーキ液圧を発生させる。一方、ブレーキペダル７の操作を解除した場合には、ブースタピストン１９（および入力ロッド２０）と第２のピストン１１とが第１，第２の戻しばね１３，１４によりシリンダ本体１０の開口部に向かって矢示Ｂ方向に変位していくときに、リザーバ１５からブレーキ液の補給を受けながら第１，第２の液圧室１２Ａ，１２Ｂ内の液圧を解除していく。
【００１８】
マスタシリンダ９のシリンダ本体１０には、内部にブレーキ液が収容されている作動液タンクとしてのリザーバ１５が設けられ、該リザーバ１５は、シリンダ本体１０内の液圧室１２Ａ，１２Ｂにブレーキ液を給排する。即ち、第１のサプライポート１０Ａがブースタピストン１９により第１の液圧室１２Ａに連通され、第２のサプライポート１０Ｂが第２のピストン１１により第２の液圧室１２Ｂに連通している間は、これらの液圧室１２Ａ，１２Ｂ内にリザーバ１５内のブレーキ液が給排される。
【００１９】
一方、第１のサプライポート１０Ａがブースタピストン１９により第１の液圧室１２Ａから遮断され、第２のサプライポート１０Ｂが第２のピストン１１により第２の液圧室１２Ｂから遮断されたときは、これらの液圧室１２Ａ，１２Ｂ内に対するリザーバ１５内のブレーキ液の給排が断たれる。このため、マスタシリンダ９の第１，第２の液圧室１２Ａ，１２Ｂ内には、ブレーキ操作に伴ってブレーキ液圧が発生し、このブレーキ液圧は、例えば一対のシリンダ側液圧配管１６Ａ，１６Ｂを介して後述の液圧供給装置３３（即ち、ＥＳＣ３３）に送られる。
【００２０】
車両のブレーキペダル７とマスタシリンダ９との間には、ブレーキペダル７の操作力を増大させるブースタとして、または、ブレーキ装置としての電動倍力装置１７が設けられている。この電動倍力装置１７は、操作量検出センサ８の出力に基づいて後述の電動アクチュエータ２１（の電動モータ２２）を駆動制御することにより、マスタシリンダ９内に発生するブレーキ液圧を可変に制御するものである。
【００２１】
電動倍力装置１７は、車体のフロントボードである車室前壁に固定して設けられるブースタハウジング１８と、該ブースタハウジング１８に移動可能に設けられ後述の入力ロッド２０に対して相対移動可能なピストンとしてのブースタピストン１９と、該ブースタピストン１９をマスタシリンダ９の軸方向に進退移動させ当該ブースタピストン１９にブースタ推力を付与するアクチュエータとしての後述の電動アクチュエータ２１とを含んで構成されている。
【００２２】
ブースタピストン１９は、マスタシリンダ９のシリンダ本体１０内に開口端側から軸方向に摺動可能に挿嵌された筒状部材により構成されている。ブースタピストン１９の内周側には、ブレーキペダル７の操作に従って直接的に押動され、マスタシリンダ９の軸方向（即ち、矢示Ａ，Ｂ方向）に進退移動する入力部材としての入力ロッド（入力ピストン）２０が摺動可能に挿嵌されている。入力ロッド２０は、ブースタピストン１９と一緒にマスタシリンダ９の第１のピストンを構成し、入力ロッド２０の後側（一側）端部には、ブレーキペダル７が連結されている。シリンダ本体１０内は、第２のピストン１１とブースタピストン１９および入力ロッド２０との間に第１の液圧室１２Ａが画成されている。
【００２３】
ブースタハウジング１８は、後述の減速機構２４等を内部に収容する筒状の減速機ケース１８Ａと、該減速機ケース１８Ａとマスタシリンダ９のシリンダ本体１０との間に設けられブースタピストン１９を軸方向に摺動変位可能に支持した筒状の支持ケース１８Ｂと、減速機ケース１８Ａを挟んで支持ケース１８Ｂとは軸方向の反対側（軸方向一側）に配置され減速機ケース１８Ａの軸方向一側の開口を閉塞する段付筒状の蓋体１８Ｃとにより構成されている。減速機ケース１８Ａの外周側には、後述の電動モータ２２を固定的に支持するための支持板１８Ｄが設けられている。
【００２４】
入力ロッド２０は、蓋体１８Ｃ側からブースタハウジング１８内に挿入され、ブースタピストン１９内を第１の液圧室１２Ａに向けて軸方向に延びている。ブースタピストン１９と入力ロッド２０との間には、一対の中立ばね２０Ａ，２０Ｂが介装されている。ブースタピストン１９および入力ロッド２０は、中立ばね２０Ａ，２０Ｂのばね力によって中立位置に弾性的に保持され、これらの軸方向の相対変位に対して中立ばね２０Ａ，２０Ｂのばね力が作用する構成となっている。
【００２５】
入力ロッド２０の先端側（軸方向他側）端面は、ブレーキ操作時に第１の液圧室１２Ａ内に発生する液圧をブレーキ反力として受圧し、入力ロッド２０はこれをブレーキペダル７に伝達する。これにより、車両の運転者にはブレーキペダル７を介して適正な踏み応えが与えられ、良好なペダルフィーリング（ブレーキの効き）を得ることができる。この結果、ブレーキペダル７の操作感を向上することができ、ペダルフィーリング（踏み応え）を良好に保つことができる。また、入力ロッド２０は、ブースタピストン１９に対して所定量前進したときに、該ブースタピストン１９に当接してブースタピストン１９を前進させることができる構造となっている。この構造により、後述する電動アクチュエータ２１や第１のＥＣＵ２７が失陥した場合に、ブレーキペダル７への踏力によりブースタピストン１９を前進させてマスタシリンダ９に液圧を発生させることが可能となっている。
【００２６】
電動倍力装置１７の電動アクチュエータ２１は、ブースタハウジング１８の減速機ケース１８Ａに支持板１８Ｄを介して設けられた電動モータ２２と、該電動モータ２２の回転を減速して減速機ケース１８Ａ内の筒状回転体２３に伝えるベルト等の減速機構２４と、筒状回転体２３の回転をブースタピストン１９の軸方向変位（進退移動）に変換するボールネジ等の直動機構２５とにより構成されている。ブースタピストン１９と入力ロッド２０は、それぞれの前端部（軸方向他側の端部）をマスタシリンダ９の第１の液圧室１２Ａに臨ませ、ブレーキペダル７から入力ロッド２０に伝わる踏力（推力）と電動アクチュエータ２１からブースタピストン１９に伝わるブースタ推力とにより、マスタシリンダ９内にブレーキ液圧を発生させる。
【００２７】
即ち、電動倍力装置１７のブースタピストン１９は、操作量検出センサ８の出力（即ち、制御指令）に基づいて電動アクチュエータ２１により駆動され、マスタシリンダ９内にブレーキ液圧（マスタシリンダ圧）を発生させるポンプ機構を構成している。また、ブースタハウジング１８の支持ケース１８Ｂ内には、ブースタピストン１９を制動解除方向（図１および図２中の矢示Ｂ方向）に常時付勢する戻しばね２６が設けられている。ブースタピストン１９は、ブレーキ操作の解除時に電動モータ２２が逆向きに回転されると共に、戻しばね２６の付勢力により図２に示す初期位置まで矢示Ｂ方向に戻されるものである。
【００２８】
電動モータ２２は、例えばＤＣブラシレスモータを用いて構成され、電動モータ２２には、レゾルバと呼ばれる回転センサ２２Ａと、モータ電流を検出する電流センサ（図示せず）とが設けられている。回転センサ２２Ａは、電動モータ２２（モータ軸）の回転位置（回転角）を検出し、その検出信号を第１の制御回路であるコントロールユニット（以下、第１のＥＣＵ２７という）に出力する。第１のＥＣＵ２７は、この回転位置信号により、フィードバック制御を行う。また、回転センサ２２Ａは、検出した電動モータ２２の回転位置に基づいて車体に対するブースタピストン１９の絶対変位を検出する回転検出手段としての機能を備えている。
【００２９】
さらに、回転センサ２２Ａは、操作量検出センサ８と共に、ブースタピストン１９と入力ロッド２０との相対変位量を検出する変位検出手段を構成し、これらの検出信号は、第１のＥＣＵ２７に送出される。なお、前記回転検出手段としては、レゾルバ等の回転センサ２２Ａに限らず、絶対変位（角度）を検出できる回転型のポテンショメータ等により構成してもよい。減速機構２４は、ベルト等に限らず、例えば歯車減速機構等を用いて構成してもよい。また、回転運動を直線運動に変化する直動機構２５は、例えばラック・ピニオン機構等で構成することもできる。さらに、減速機構２４は、必ずしも設ける必要はなく、例えば、筒状回転体２３にモータ軸を一体に設け、電動モータのステータを筒状回転体２３の周囲に配置して、電動モータにより直接、筒状回転体２３を回転させるようにしてもよい。
【００３０】
第１のＥＣＵ２７は、例えばマイクロコンピュータ等からなっており、電動倍力装置１７の一部を構成している。第１のＥＣＵ２７は、後述する第２のＥＣＵ３５と共に摩擦制動装置６を制御する制御手段（摩擦制動制御手段）となるものである。具体的には、第１のＥＣＵ２７は、電動倍力装置１７の電動アクチュエータ２１（電動モータ２２）を電気的に駆動制御する第１の制御回路（電動倍力装置用コントローラ）を構成している。
【００３１】
第１のＥＣＵ２７の入力側は、ブレーキペダル７の操作の有無を検出するブレーキスイッチ７Ａと、ブレーキペダル７の操作量または踏力を検出する操作量検出センサ８と、電動モータ２２の回転センサ２２Ａおよび前記電流センサと、例えばＬ−ＣＡＮと呼ばれる通信が可能な車載の信号線２８と、他の車両機器のＥＣＵ（例えば後述する第３のＥＣＵ５４）からの信号の授受を行う車両データバス２９等とに接続されている。車両データバス２９は、車両に搭載されたＶ−ＣＡＮと呼ばれるシリアル通信部であり、車載向けの多重通信を行うものである。また、第１のＥＣＵ２７は、電源ライン３０と接続され、該電源ライン３０を通じてバッテリ３１（図１参照）からの電力が給電される。
【００３２】
マスタシリンダ９のブレーキ液圧を検出する液圧検出手段としての液圧センサ３２は、例えばシリンダ側液圧配管１６Ａ内の液圧を検出するもので、マスタシリンダ９からシリンダ側液圧配管１６Ａを介して後述のＥＳＣ３３に供給されるブレーキ液圧を検出する。本実施の形態において、液圧センサ３２は、後述の第２のＥＣＵ３５に電気的に接続されると共に、液圧センサ３２による検出信号は、第２のＥＣＵ３５から信号線２８を介して第１のＥＣＵ２７にも通信により送られる。なお、液圧センサ３２は、マスタシリンダ９のブレーキ液圧を検出することができれば、マスタシリンダ９に直接取付けられるようにしてもよく、また、第２のＥＣＵ３５を介さずに検出信号を直接第１のＥＣＵ２７に入力されるように構成してもよい。
【００３３】
第１のＥＣＵ２７の出力側は、電動モータ２２、車載の信号線２８、車両データバス２９等に接続されている。そして、第１のＥＣＵ２７は、操作量検出センサ８や液圧センサ３２からの検出信号等に従って電動アクチュエータ２１によりマスタシリンダ９内に発生させるブレーキ液圧を可変に制御すると共に、電動倍力装置１７が正常に動作しているか否か等を判別する機能も有している。
【００３４】
ここで、電動倍力装置１７においては、ブレーキペダル７が踏込み操作されると、マスタシリンダ９のシリンダ本体１０内に向けて入力ロッド２０が前進し、このときの動きが操作量検出センサ８によって検出される。第１のＥＣＵ２７は、操作量検出センサ８からの検出信号により電動モータ２２に起動指令を出力して電動モータ２２を回転駆動し、その回転が減速機構２４を介して筒状回転体２３に伝えられると共に、筒状回転体２３の回転は、直動機構２５によりブースタピストン１９の軸方向変位に変換される。
【００３５】
このとき、ブースタピストン１９は、マスタシリンダ９のシリンダ本体１０内に向けて入力ロッド２０と一体的に前進し、ブレーキペダル７から入力ロッド２０に付与される踏力（推力）と電動アクチュエータ２１からブースタピストン１９に付与されるブースタ推力とに応じたブレーキ液圧がマスタシリンダ９の第１，第２の液圧室１２Ａ，１２Ｂ内に発生する。また、車両全体としての制動力を、摩擦制動装置６の摩擦ライニングによる摩擦制動力と後述するモータ・ジェネレータ５５（図１参照）による回生制動力とに配分する場合、即ち、摩擦制動力（摩擦ブレーキ）と回生制動力（回生ブレーキ）との両制動力で車両全体の制動力を得る場合は、回生制動力に対応する分、ブレーキ液圧が低くなるように、電動アクチュエータ２１によりブースタピストン１９を変位させる。
【００３６】
なお、第１のＥＣＵ２７は、液圧センサ３２からの検出信号を信号線２８から受取ることによりマスタシリンダ９に発生した液圧を監視することができ、電動倍力装置１７が正常に動作しているか否かを判別することができる。
【００３７】
次に、車両の各車輪（前輪２Ｌ，２Ｒおよび後輪３Ｌ，３Ｒ）側に配設されたホイールシリンダ４Ｌ，４Ｒ、５Ｌ，５Ｒとマスタシリンダ９との間に設けられた液圧供給装置３３（即ち、ＥＳＣ３３）について説明する。
【００３８】
ＥＳＣ３３は、電動倍力装置１７によりマスタシリンダ９（第１，第２の液圧室１２Ａ，１２Ｂ）内に発生したブレーキ液圧を、車輪毎のホイールシリンダ圧として可変に制御して各車輪（前輪２Ｌ，２Ｒ、後輪３Ｌ，３Ｒ）のホイールシリンダ４Ｌ，４Ｒ、５Ｌ，５Ｒに個別に供給するホイールシリンダ圧制御装置を構成している。
【００３９】
即ち、ＥＳＣ３３は、各種のブレーキ制御（例えば、前輪２Ｌ，２Ｒ、後輪３Ｌ，３Ｒ毎に制動力を配分する制動力配分制御、アンチロックブレーキ制御、車両安定化制御等）をそれぞれ行う場合に、必要なブレーキ液圧をマスタシリンダ９からシリンダ側液圧配管１６Ａ，１６Ｂ等を介してホイールシリンダ４Ｌ，４Ｒ、５Ｌ，５Ｒに供給するものである。
【００４０】
ここで、ＥＳＣ３３は、マスタシリンダ９（第１，第２の液圧室１２Ａ，１２Ｂ）からシリンダ側液圧配管１６Ａ，１６Ｂを介して出力される液圧を、ブレーキ側配管部３４Ａ，３４Ｂ，３４Ｃ，３４Ｄを介してホイールシリンダ４Ｌ，４Ｒ、５Ｌ，５Ｒに分配、供給する。これにより、前述の如く車輪（前輪２Ｌ，２Ｒ、後輪３Ｌ，３Ｒ）毎にそれぞれ独立した制動力が個別に付与される。ＥＳＣ３３は、後述の各制御弁４０，４０′，４１，４１′，４２，４２′，４５，４５′，４６，４６′，５３，５３′と、液圧ポンプ４７，４７′を駆動する電動モータ４８と、液圧制御用リザーバ５２，５２′とを含んで構成されている。
【００４１】
第２のＥＣＵ３５は、例えばマイクロコンピュータ等からなっており、ＥＳＣ３３の一部を構成している。第２のＥＣＵ３５は、第１のＥＣＵ２７と共に、摩擦制動装置６を制御する制御手段（摩擦制動制御手段）となるものである。具体的には、第２のＥＣＵ３５は、ＥＳＣ３３を電気的に駆動制御する第２の制御回路（液圧供給装置用コントローラ）を構成している。第２のＥＣＵ３５の入力側は、液圧センサ３２、信号線２８、車両データバス２９、後述のスリップ量検出器５６等に接続されている。第２のＥＣＵ３５の出力側は、後述の各制御弁４０，４０′，４１，４１′，４２，４２′，４５，４５′，４６，４６′，５３，５３′、電動モータ４８、信号線２８、車両データバス２９等に接続されている。また、第２のＥＣＵ３５は、電源ライン３０と接続され、該電源ライン３０を通じてバッテリ３１（図１参照）からの電力が給電される。
【００４２】
ここで、第２のＥＣＵ３５は、ＥＳＣ３３の各制御弁４０，４０′，４１，４１′，４２，４２′，４５，４５′，４６，４６′，５３，５３′、電動モータ４８等を後述の如く個別に駆動制御する。これによって、第２のＥＣＵ３５は、ブレーキ側配管部３４Ａ〜３４Ｄからホイールシリンダ４Ｌ，４Ｒ、５Ｌ，５Ｒに供給するブレーキ液圧を減圧、保持、増圧または加圧する制御を、ホイールシリンダ４Ｌ，４Ｒ、５Ｌ，５Ｒ毎に個別に行うものである。
【００４３】
即ち、第２のＥＣＵ３５は、ＥＳＣ３３を作動制御することにより、例えば車両の制動時に接地荷重等に応じて各車輪（前輪２Ｌ，２Ｒおよび後輪３Ｌ，３Ｒ）に適切に制動力を配分する制動力配分制御、制動時に各車輪２Ｌ，２Ｒ，３Ｌ，３Ｒの制動力を自動的に調整して車輪２Ｌ，２Ｒ，３Ｌ，３Ｒのロックを防止するアンチロックブレーキ制御、走行中の車輪２Ｌ，２Ｒ，３Ｌ，３Ｒの横滑りを検知してブレーキペダル７の操作量に拘わらず各車輪２Ｌ，２Ｒ，３Ｌ，３Ｒに付与する制動力を適宜自動的に制御しつつ、アンダーステア及びオーバーステアを抑制して車両の挙動を安定させる車両安定化制御、坂道（特に上り坂）において制動状態を保持して発進を補助する坂道発進補助制御、発進時等において車輪の空転を防止するトラクション制御、先行車両に対して一定の車間を保持する車両追従制御、走行車線を保持する車線逸脱回避制御、車両前方または後方の障害物との衡突を回避する障害物回避制御等を実行することができる。
【００４４】
ＥＳＣ３３は、マスタシリンダ９の一方の出力ポート（即ち、シリンダ側液圧配管１６Ａ）に接続されて左前輪（ＦＬ）側のホイールシリンダ４Ｌと右後輪（ＲＲ）側のホイールシリンダ５Ｒとに液圧を供給する第１液圧系統３６と、他方の出力ポート（即ち、シリンダ側液圧配管１６Ｂ）に接続されて右前輪（ＦＲ）側のホイールシリンダ４Ｒと左後輪（ＲＬ）側のホイールシリンダ５Ｌとに液圧を供給する第２液圧系統３６′との２系統の液圧回路を備えている。ここで、第１液圧系統３６と第２液圧系統３６′とは、同様な構成を有しているため、以下の説明は第１液圧系統３６についてのみ行い、第２液圧系統３６′については各構成要素に符号に「′」を付し、それぞれの説明を省略する。
【００４５】
ＥＳＣ３３の第１液圧系統３６は、シリンダ側液圧配管１６Ａの先端側に接続されたブレーキ管路３７を有し、ブレーキ管路３７は、第１管路部３８および第２管路部３９の２つに分岐して、ホイールシリンダ４Ｌ，５Ｒにそれぞれ接続されている。ブレーキ管路３７および第１管路部３８は、ブレーキ側配管部３４Ａと共にホイールシリンダ４Ｌに液圧を供給する管路を構成し、ブレーキ管路３７および第２管路部３９は、ブレーキ側配管部３４Ｄと共にホイールシリンダ５Ｒに液圧を供給する管路を構成している。
【００４６】
ブレーキ管路３７には、ブレーキ液圧の供給制御弁４０が設けられ、該供給制御弁４０は、ブレーキ管路３７を開，閉する常開の電磁切換弁により構成されている。第１管路部３８には増圧制御弁４１が設けられ、該増圧制御弁４１は、第１管路部３８を開，閉する常開の電磁切換弁により構成されている。第２管路部３９には増圧制御弁４２が設けられ、該増圧制御弁４２は、第２管路部３９を開，閉する常開の電磁切換弁により構成されている。
【００４７】
一方、ＥＳＣ３３の第１液圧系統３６は、ホイールシリンダ４Ｌ，５Ｒ側と液圧制御用リザーバ５２とをそれぞれ接続する第１，第２の減圧管路４３，４４を有し、これらの減圧管路４３，４４には、それぞれ第１，第２の減圧制御弁４５，４６が設けられている。第１，第２の減圧制御弁４５，４６は、減圧管路４３，４４をそれぞれ開，閉する常閉の電磁切換弁により構成されている。
【００４８】
また、ＥＳＣ３３は、液圧源である液圧発生手段としての液圧ポンプ４７を備え、該液圧ポンプ４７は電動モータ４８により回転駆動される。ここで、電動モータ４８は、第２のＥＣＵ３５からの給電により駆動され、給電停止には液圧ポンプ４７と一緒に回転停止される。液圧ポンプ４７の吐出側は、逆止弁４９を介してブレーキ管路３７のうち供給制御弁４０よりも下流側となる位置（即ち、第１管路部３８と第２管路部３９とが分岐する位置）に接続されている。液圧ポンプ４７の吸込み側は、逆止弁５０，５１を介して液圧制御用リザーバ５２に接続されている。
【００４９】
液圧制御用リザーバ５２は、余剰のブレーキ液を一時的に貯留するために設けられ、ブレーキシステム（ＥＳＣ３３）のアンチロックブレーキ制御時に限らず、これ以外のブレーキ制御時にもホイールシリンダ４Ｌ，５Ｒのシリンダ室（図示せず）から流出してくる余剰のブレーキ液を一時的に貯留するものである。また、液圧ポンプ４７の吸込み側は、逆止弁５０および常閉の電磁切換弁である加圧制御弁５３を介してマスタシリンダ９のシリンダ側液圧配管１６Ａ（即ち、ブレーキ管路３７のうち供給制御弁４０よりも上流側となる位置）に接続されている。
【００５０】
ＥＳＣ３３を構成する各制御弁４０，４０′，４１，４１′，４２，４２′，４５，４５′，４６，４６′，５３，５３′、および、液圧ポンプ４７，４７′を駆動する電動モータ４８は、第２のＥＣＵ３５から出力される制御信号に従ってそれぞれの動作制御が予め決められた手順で行われる。
【００５１】
即ち、ＥＳＣ３３の第１液圧系統３６は、運転者のブレーキ操作による通常の動作時において、電動倍力装置１７によってマスタシリンダ９で発生した液圧を、ブレーキ管路３７および第１，第２管路部３８，３９を介してホイールシリンダ４Ｌ，５Ｒに直接供給する。例えば、アンチロックブレーキ制御等を実行する場合は、増圧制御弁４１，４２を閉じてホイールシリンダ４Ｌ，５Ｒの液圧を保持し、ホイールシリンダ４Ｌ，５Ｒの液圧を減圧するときには、減圧制御弁４５，４６を開いてホイールシリンダ４Ｌ，５Ｒの液圧を液圧制御用リザーバ５２に逃がすように排出する。
【００５２】
また、車両走行時の安定化制御（横滑り防止制御）等を行うため、ホイールシリンダ４Ｌ，５Ｒに供給する液圧を増圧するときには、供給制御弁４０を閉弁した状態で電動モータ４８により液圧ポンプ４７を作動させ、該液圧ポンプ４７から吐出したブレーキ液を第１，第２管路部３８，３９を介してホイールシリンダ４Ｌ，５Ｒに供給する。このとき、加圧制御弁５３が開弁されていることにより、マスタシリンダ９側から液圧ポンプ４７の吸込み側へとリザーバ１５内のブレーキ液が供給される。
【００５３】
このように、第２のＥＣＵ３５は、車両運転情報等に基づいて供給制御弁４０、増圧制御弁４１，４２、減圧制御弁４５，４６、加圧制御弁５３および電動モータ４８（即ち、液圧ポンプ４７）の作動を制御し、ホイールシリンダ４Ｌ，５Ｒに供給する液圧を適宜に保持したり、減圧または増圧したりする。これによって、前述した制動力分配制御、車両安定化制御、ブレーキアシスト制御、アンチロックブレーキ制御、トラクション制御、坂道発進補助制御等のブレーキ制御が実行される。
【００５４】
一方、電動モータ４８（即ち、液圧ポンプ４７）を停止した状態で行う通常の制動モードでは、供給制御弁４０および増圧制御弁４１，４２を開弁させ、減圧制御弁４５，４６および加圧制御弁５３を閉弁させる。この状態で、ブレーキペダル７の踏込み操作に応じてマスタシリンダ９の第１のピストン（即ち、ブースタピストン１９、入力ロッド２０）と第２のピストン１１とがシリンダ本体１０内を軸方向に変位するときに、第１，第２の液圧室１２Ａ，１２Ｂ内に発生したブレーキ液圧が、シリンダ側液圧配管１６Ａ側からＥＳＣ３３の第１液圧系統３６、ブレーキ側配管部３４Ａ，３４Ｄを介してホイールシリンダ４Ｌ，５Ｒに供給される。第２の液圧室１２Ｂ内に発生したブレーキ液圧は、シリンダ側液圧配管１６Ｂ側から第２液圧系統３６′、ブレーキ側配管部３４Ｂ，３４Ｃを介してホイールシリンダ４Ｒ，５Ｌに供給される。
【００５５】
また、電動倍力装置１７の失陥によりブースタピストン１９を電動モータ２２で作動できない場合には、第１，第２の液圧室１２Ａ，１２Ｂ内に発生したブレーキ液圧を第２のＥＣＵ３５に接続された液圧センサ３２により検出して、この検出値をブレーキペダル７の操作量としてその検出値に応じたホイールシリンダ圧となるようにホイールシリンダ４Ｌ，５Ｒを増圧するアシスト制御を行う。アシスト制御では、加圧制御弁５３と増圧制御弁４１，４２とを開弁させ、供給制御弁４０および減圧制御弁４５，４６を適宜開，閉弁させる。この状態で、電動モータ４８により液圧ポンプ４７を作動させ、該液圧ポンプ４７から吐出するブレーキ液を第１，第２管路部３８，３９を介してホイールシリンダ４Ｌ，５Ｒに供給する。これにより、マスタシリンダ９側で発生するブレーキ液圧に基づいて、液圧ポンプ４７から吐出するブレーキ液によってホイールシリンダ４Ｌ，５Ｒによる制動力を発生することができる。
【００５６】
なお、液圧ポンプ４７としては、例えばプランジャポンプ、トロコイドポンプ、ギヤポンプ等の公知の液圧ポンプを用いることができるが、車載性、静粛性、ポンプ効率等を考慮するとギヤポンプとすることが望ましい。電動モータ４８としては、例えばＤＣモータ、ＤＣブラシレスモータ、ＡＣモータ等の公知のモータを用いることができるが、本実施の形態においては、車載性等の観点からＤＣモータとしている。
【００５７】
また、ＥＳＣ３３の各制御弁４０，４１，４２，４５，４６，５３は、その特性を夫々の使用態様に応じて適宜設定することができるが、このうち供給制御弁４０および増圧制御弁４１，４２を常開弁とし、減圧制御弁４５，４６および加圧制御弁５３を常閉弁とすることにより、第２のＥＣＵ３５からの制御信号がない場合にも、マスタシリンダ９からホイールシリンダ４Ｌ〜５Ｒに液圧を供給することができる。従って、ブレーキシステムのフェイルセーフおよび制御効率の観点から、このような構成とすることが望ましいものである。
【００５８】
一方、車両に搭載された車両データバス２９には、後述するモータ・ジェネレータ５５（図１参照）を電気的に駆動制御する第３の制御回路（電力充電用コントローラ、回生協調制御装置）としての第３のＥＣＵ５４が接続されている。第３のＥＣＵ５４は、第１，第２のＥＣＵ２７，３５と同様にマイクロコンピュータ等からなり、例えば、モータ・ジェネレータ５５の駆動状態（力行、回生）を制御するモータ・ジェネレータ用コントローラ（制御装置）を含んで構成されている。
【００５９】
この場合、第３のＥＣＵ５４は、車両の減速時および制動時等に車輪（本実施の形態の場合は前輪２Ｌ，２Ｒ）の回転による慣性力を利用して、車両駆動用の回生電動機（電動モータ）であるモータ・ジェネレータ５５を制御することにより、運動エネルギを電力として回収（回生）しつつ制動力を得るものである。第３のＥＣＵ５４は、車両データバス２９を介して第１のＥＣＵ２７と第２のＥＣＵ３５とに接続され、回生制動量を制御する制御手段（回生制動制御手段）を構成している。また、第３のＥＣＵ５４は、電源ライン３０と接続され、該電源ライン３０を通じてバッテリ３１（図１参照）からの電力が給電される。
【００６０】
第３のＥＣＵ５４に接続された回生制動装置としてのモータ・ジェネレータ（Ｍ・Ｇ）５５は、車両の加速時等に車両を走行させるための駆動を行い、車両の減速時等に車両の慣性力に基づいて発電（回生）を行う電動モータ（発電電動機）として構成されている。即ち、モータ・ジェネレータ５５は、例えば車両の蓄電装置（図示せず）に蓄電された電力に基づいて車両を走行するためのトルク（回転力）を発生するモータ（電動機）としての役目と、車両の走行慣性力に基づいて発電を行うジェネレータ（発電機）としての役目とを有するものである。なお、図１では、車両の駆動源としてモータ・ジェネレータ５５のみを表しているが、例えば電気自動車であればモータ・ジェネレータ５５が走行用の駆動源となり、ハイブリッド自動車であればモータ・ジェネレータ５５と図示しないエンジン（内燃機関）とが走行用の駆動源となる。
【００６１】
次に、第３のＥＣＵ５４と第１のＥＣＵ２７とにより行われる回生協調制御について説明する。ここで、回生協調制御とは、減速時および制動時等に、車両の慣性力に基づいてモータ・ジェネレータ５５を回転させることにより運動エネルギを電力として回収（回生）すると共に、運転者のブレーキ操作に対し、モータ・ジェネレータ５５の回生による制動力（回生制動力）を差引いて摩擦制動装置６の摩擦ライニングによる制動力（摩擦制動力）を調整することにより、これらの両制動力で車両全体として所望の制動力を得るようにするブレーキ制御である。
【００６２】
即ち、ブレーキペダル７が操作されたときに、そのブレーキペダル７の操作量に対する摩擦制動力をそのまま発生させることに加えて、モータ・ジェネレータ５５の運動エネルギによる回生制動力を発生させると、車両全体としての制動力が過多になる。そこで、回生協調制御では、ブレーキペダル７の操作量に対する電動倍力装置１７（電動モータ２２）の制御量を変化させることにより、回生制動力に対応する分だけマスタシリンダ９の液圧を減圧し、摩擦制動分の制動力と回生制動分の制動力とで、ブレーキペダル７の操作に応じた所望の制動力が得られるようにする。
【００６３】
ここで、回生協調制御にて発生させる回生制動の最大値は、電動倍力装置１７の電動モータ２２の制御量を変化させることで実現可能なマスタシリンダ９の減圧量により規定される。このため、電動モータ２２を制御する第１のＥＣＵ２７からモータ・ジェネレータ５５を制御する第３のＥＣＵ５４に対し、要求回生制動量が車両データバス２９を介して送信される。この要求回生制動量は、第１のＥＣＵ２７にて規定するが、実際にモータ・ジェネレータ５５による回生制動力を発生させるのは第３のＥＣＵ５４であるため、要求回生制動量と実際の回生制動量が異なる可能性がある。
【００６４】
仮に実際の回生制動量が要求回生制動量と異なった場合は、液圧による摩擦制動量とモータ・ジェネレータ５５による回生制動量との総制動量が小さくなる。このため、減速度抜けまたは減速度の低下が発生するおそれがある。この減速度抜けまたは減速度の低下を抑制するために、実際に発生する回生制動量を、第３のＥＣＵ５４から第１のＥＣＵ２７に対し、実行回生制動量として車両データバス２９を介して送信する。第１のＥＣＵ２７は、受信した実行回生制動量に基づいて電動モータ２２の駆動に基づいて実施するマスタシリンダ９減圧量を規定し、所望の制動力を発生させる。なお、実行回生制動量は、必ず要求回生制動量よりも小さな値となるようにする。
【００６５】
ところで、回生協調制御を行う車両では、次のような走行シーンが発生することがある。即ち、走行中に運転者がブレーキペダル７を踏込み、回生協調制御が実行されると、上述の通り摩擦制動量が回生制動量分減少するため、駆動輪（本実施の形態の場合は前輪２Ｌ，２Ｒ）の制動量が、回生協調制御非実施時に比べて大きくなる。このときに、駆動輪のタイヤにかかる力がタイヤにかかる荷重と路面の抵抗とによって決定する摩擦力（グリップ限界）よりも大きくなると、駆動輪にスリップが発生するおそれがある。この場合、回生協調制御非実施時に比べて制動距離の増加、またはＥＳＣ３３によるアンチロックブレーキ制御が早期に開始されてしまう、いわゆるアンチロックブレーキ制御の早期介入が生じてしまうおそれがある。そこで、これらを防止するためには、駆動輪にかかる回生制動量をできる限り短時間に減少させ、タイヤにかかる力をグリップ限界以内とする必要がある。
【００６６】
しかし、回生制動量を急激に変化させると、電動倍力装置１７が電動アクチュエータ２１を作動させる。この場合、所望の液圧を発生するまでの応答遅れにより、車両にて発生している回生制動量と摩擦制動量の合計が運転者の意図する制動力よりも減少してしまい、減速度抜けが発生するおそれがある。また、駆動輪（前輪２Ｌ，２Ｒ）から従動輪（３Ｌ，３Ｒ）に制動量が移動するために、前後輪に急激な荷重移動が発生する。この場合、旋回時にアンダーステアが発生して、車両挙動が不安定になるおそれがある。
【００６７】
そのため、スリップが早期に収束するように回生制動量を減少させるためには、タイヤにかかる力がグリップ限界となるように回生制動量を減少させた後、回生制動量を保持させる。そして、電動倍力装置１７が電動アクチュエータ２１を作動させて所望の液圧を発生するまでの応答遅れによる減速度変動を防止する。さらに、スリップが収束しない場合には、再度減速度変動が発生しない回生制動量の減少と保持とを繰り返し行うことで、減速度変動を抑制しながら早期にスリップを抑制するよう、回生制動量を減少させる必要がある。
【００６８】
また、図３に示すように、旋回制動時には、縦方向（制動力）と横方向（横力）との合力がタイヤにかかっている。直進制動時と旋回制動時とで同じ回生制動量を発生させた場合には、直進制動時に対して旋回制動時にはタイヤに横力が加わることから、車両のスリップを抑制するために必要な回生制動量を横力分だけ大きく設定する必要がある。即ち、図３に示すように、旋回制動時に必要な回生制動量の減少量は、直進制動時に必要な回生制動量の減少量よりも差分量ΔＣだけ大きくなる。この差分量ΔＣの大きさは、横力（横Ｇ）の大きさに基づき可変に設定される。
【００６９】
そこで、本実施の形態では、駆動輪となる前輪２Ｌ，２Ｒのスリップ量を検出した場合に、車両の旋回量によって回生制動量の減少量を可変としている。即ち、旋回制動時にタイヤに加わる横力分に対応する回生制動量の減少量を、直進制動時の回生制動量の減少量よりも大きく設定している。これにより、旋回制動時においても直進制動時と同様に早期にスリップを収束させ、車両挙動の変化の抑制とアンチロックブレーキ制御の早期介入の抑制とを図れるようにしている。このために、第２のＥＣＵ３５には、車両に設けられた車輪２Ｌ，２Ｒ，３Ｌ，３Ｒのスリップ量を検出するスリップ量検出手段としてのスリップ量検出器５６と、旋回量検出器５７とが接続されている。
【００７０】
スリップ量検出器５６は、例えば、各車輪２Ｌ，２Ｒ，３Ｌ，３Ｒの回転速度を検出する車輪速センサにより構成することができる。この場合は、駆動輪となる前輪２Ｌ，２Ｒの回転速度と従動輪となる後輪３Ｌ，３Ｒの回転速度との差に基づいて、駆動輪となる前輪２Ｌ，２Ｒのスリップ量を算出することができる。また、スリップ量検出器５６は、例えば、駆動輪となる前輪２Ｌ，２Ｒの回転速度を検出する車輪速センサとトランスミッションの回転軸の回転速度を検出する車速センサとにより構成することもできる。この場合には、車輪速センサにより検出される車輪速と車速センサにより検出される車速（車体速度、車両速度）との差に基づいて、駆動輪となる前輪２Ｌ，２Ｒのスリップ量を算出することができる。なお、図１，２においては、説明の便宜上、スリップ量検出器５６とＥＳＣ３３の第２のＥＣＵ３５と別に記載しているが、第２のＥＣＵ３５にスリップ量検出機能を組み込むようにしてもよい。この場合には、第２のＥＣＵ３５に各車輪２Ｌ，２Ｒ，３Ｌ，３Ｒの回転速度を検出する車輪速センサが接続されることになる。
【００７１】
旋回量検出器５７は、例えば車両の横Ｇを検出する加速度センサにより構成することができる。この場合は、加速度センサにより検出される横Ｇに基づいて車両が旋回しているか否かを判断することができる。また、旋回量検出器５７は、例えば車輪の回転速度を検出する車輪速センサと運転者のステアリング舵角を検知する舵角センサとにより構成することもできる。この場合は、車輪速センサにより検出される車速と舵角センサから検知される舵角とにより発生する横Ｇを算出することができる。
【００７２】
一方、例えば、第１のＥＣＵ２７は、モータ・ジェネレータ５５による回生制動中に、第２のＥＣＵ３５、車両データバス２９を介して受信するスリップ量検出器５６の検出値により、車輪（具体的には駆動輪となる前輪２Ｌ，２Ｒ）がスリップしていることが検出されたときに、モータ・ジェネレータ５５の回生制動量を減少させる回生スリップ制御手段（後述する図４の処理）を有している。この回生スリップ制御手段は、モータ・ジェネレータ５５による回生制動中に、スリップ量検出器５６の検出値に基づいて駆動輪となる前輪２Ｌ，２Ｒがスリップしていることが検出されている間、モータ・ジェネレータ５５の回生制動量を所定量減少させたのち、減少させた回生制動量を所定時間保持するスリップ抑制制御を繰り返して行うものである。
【００７３】
この場合、回生スリップ制御手段においては、駆動輪（前輪２Ｌ，２Ｒ）がスリップしていることが検出されたときの回生制動量の減少量として、旋回量検出器５７の検出値に基づいて回生制動量の減少量を可変としており、旋回量に応じて回生制動量を所定量減少させたのち、回生制動量を所定時間保持する。この場合、例えば図５に示す特性線５８のように、横Ｇに対応する旋回制動時の回生制動量の減少量（１回目の所定減少量）のマップが第１のＥＣＵ２７に記憶されている。なお、図５に示す旋回制動用の特性線５８は、線形特性（リニア特性）としているが、タイヤと路面との抵抗によって、横力（横Ｇ）と回生制動量の減少量との関係が非線形特性（非リニア特性）となる場合もある。即ち、旋回制動用の特性線は、予め実験、計算、シミュレーション等に基づいて設定される。
【００７４】
そして、その後もスリップが発生する間は、回生制動量を減少させる。この場合、回生制動量の減少量（例えば、２回目の所定減少量）は、減速度変動が発生しないように、スリップ検知後に設定された初回の所定減少量と比較して小さい値が設定されている。即ち、図６に示すように、回生スリップ制御手段は、駆動輪（前輪２Ｌ，２Ｒ）のスリップ量がスリップ閾値以上となると、モータ・ジェネレータ５５の回生制動量を減少させることにより、駆動輪制動量を段階的に減少させる。これにより、直進制動時と旋回制動時とにおいて、電動倍力装置１７が電動アクチュエータ２１を作動させ、所望の液圧を発生するまでの応答遅れによる減速度変動を防止しながら、早期にスリップの抑制が実現でき、車両挙動を安定に保つことができる。なお、第１のＥＣＵ２７により実行される図４の処理については、後述する。
【００７５】
本実施の形態によるブレーキ制御装置は、上述の如き構成を有するもので、次にその作動について説明する。
【００７６】
まず、車両の運転者がブレーキペダル７を踏込み操作すると、これにより入力ロッド２０が矢示Ａ方向に押込まれると共に、操作量検出センサ８からの検出信号が第１のＥＣＵ２７に入力される。第１のＥＣＵ２７は、その検出値に応じて電動倍力装置１７の電動アクチュエータ２１を作動制御する。即ち、第１のＥＣＵ２７は、操作量検出センサ８からの検出信号に基づいて、電動モータ２２への給電を行い、該電動モータ２２を回転駆動する。この場合、第１のＥＣＵ２７は、ブレーキペダル７のストローク量に応じた運転者が意図する制動力（車両全体としての制動力）からモータ・ジェネレータ５５の回生による制動力（回生制動力）を差引いた、摩擦制動装置６で発生すべき制動力（摩擦制動力）を演算し、この制動力を得るために必要な液圧となるように、電動モータ２２への給電を行い、該電動モータ２２を回転駆動する。
【００７７】
電動モータ２２の回転は、減速機構２４を介して筒状回転体２３に伝えられると共に、筒状回転体２３の回転は、直動機構２５によりブースタピストン１９の軸方向変位に変換される。これにより、電動倍力装置１７のブースタピストン１９は、マスタシリンダ９のシリンダ本体１０内に向けて前進方向に変位し、ブレーキペダル７から入力ロッド２０に付与される踏力（推力）と電動アクチュエータ２１からブースタピストン１９に付与されるブースタ推力とに応じたブレーキ液圧がマスタシリンダ９の第１，第２の液圧室１２Ａ，１２Ｂ内に発生する。
【００７８】
次に、各車輪（前輪２Ｌ，２Ｒおよび後輪３Ｌ，３Ｒ）側のホイールシリンダ４Ｌ，４Ｒ、５Ｌ，５Ｒとマスタシリンダ９との間に設けられたＥＳＣ３３は、電動倍力装置１７によりマスタシリンダ９（第１，第２の液圧室１２Ａ，１２Ｂ）内に発生したマスタシリンダ圧としての液圧を、シリンダ側液圧配管１６Ａ，１６ＢからＥＳＣ３３内の液圧系統３６，３６′およびブレーキ側配管部３４Ａ，３４Ｂ，３４Ｃ，３４Ｄを介してホイールシリンダ４Ｌ，４Ｒ、５Ｌ，５Ｒへと可変に制御しつつ、車輪毎のホイールシリンダ圧として分配して供給する。これにより、車両の車輪（各前輪２Ｌ，２Ｒ、各後輪３Ｌ，３Ｒ）毎にホイールシリンダ４Ｌ，４Ｒ、５Ｌ，５Ｒを介して適正な制動力が付与される。
【００７９】
また、ＥＳＣ３３を制御する第２のＥＣＵ３５は、信号線２８を通じて受け取る操作量検出センサ８からの検出信号等に基づいて、電動モータ４８に給電して液圧ポンプ４７，４７′を作動し、各制御弁４０，４０′，４１，４１′，４２，４２′，４５，４５′，４６，４６′，５３，５３′を選択的に開，閉弁する。これにより、制動力配分制御、アンチロックブレーキ制御、車両安定化制御、坂道発進補助制御、トラクション制御、車両追従制御、車線逸脱回避制御、障害物回避制御等を実行することができる。特に、アンチロックブレーキ制御においては、スリップ量検出器５６で検出される車輪２Ｌ，２Ｒ，３Ｌ，３Ｒのスリップ量が所定時間継続してアンチロックスリップ閾値を越えた時に、各制御弁４０，４０′，４１，４１′，４２，４２′，４５，４５′，４６，４６′，５３，５３′を選択的に開，閉弁してホイールシリンダ４Ｌ，４Ｒ、５Ｌ，５Ｒのブレーキ圧を減圧、保持、増圧することで車輪２Ｌ，２Ｒ，３Ｌ，３Ｒのスリップ（ロック）を抑制するようにしている。
【００８０】
ところで、前述の特許文献１による従来技術では、車体速と車輪速から回生制動によって発生する車両のスリップを検知している。そして、発生したスリップを抑制するために、回生制動量を予め設定された値で減少させている。これにより、タイヤにかかる力をタイヤにかかる荷重と路面との抵抗によって決定する摩擦力（グリップ限界）以内となるように駆動輪の制動力を減少させている。
【００８１】
ここで、直進制動時にタイヤにかかる力は、縦方向（制動力）のみであるが、旋回制動時にタイヤにかかる力は、制動力にさらに横方向（横力）が加算された力となる。即ち、旋回制動時にタイヤにかかる力は、縦方向（制動力）と横方向（横力）の合力である。そのため、旋回制動時におけるタイヤにかかる力をタイヤのグリップ限界以内とするためには、横力分を考慮して回生制動量を減少させる必要がある。
【００８２】
しかし、従来技術では、予め設定された回生制動量を減少させる構成となっている。従って、旋回制動時にスリップを抑制させるために減少させるべき回生制動量は、直進制動時にスリップを抑制させるために減少させる回生制動量よりも横力分小さくなるおそれがある。その結果、タイヤにかかる力がグリップ限界まで減少する時間が長くなるので、スリップの収束が遅くなり、車両挙動が不安定となったり、制動距離が長くなったりするという問題がある。
【００８３】
そこで、本実施の形態では、駆動輪となる前輪２Ｌ，２Ｒがスリップしていると検出されたときに、減少させる回生制動量を旋回量検出器５７の検出値に基づいて可変としている。これにより、旋回制動時には、直進制動時に対してタイヤにかかる横力分を増加させた回生制動量の減少量を設定することができる。その結果、旋回制動時においても直進制動時と同様にスリップを抑制することができ、車両挙動を安定に保つことができる。
【００８４】
次に、第１のＥＣＵ２７で行われる回生制御処理（回生スリップ抑制処理）について、図４の流れ図を用いて説明する。なお、図４の処理は、第１のＥＣＵ２７に通電している間、第１のＥＣＵ２７により所定の制御時間毎に（所定の制御周期で）繰り返し実行される。
【００８５】
第１のＥＣＵ２７に通電が開始される（または、運転者が車両走行中にブレーキペダル７を操作する）ことにより、図４の処理動作がスタートすると、第１のＥＣＵ２７は、ステップ１で、駆動輪となる前輪２Ｌ，２Ｒのスリップ量の算出を行う。このスリップ量は、スリップ量検出器５６の検出値に基づいて行う。例えば、スリップ量検出器５６を各車輪２Ｌ，２Ｒ，３Ｌ，３Ｒの回転速度を検出する車輪速センサにより構成した場合は、駆動輪となる前輪２Ｌ，２Ｒの回転速度と従動輪となる後輪３Ｌ，３Ｒの回転速度との差に基づいて、駆動輪となる前輪２Ｌ，２Ｒのスリップ量を算出することができる。また、スリップ量は、車輪速センサにより検出される車輪速と車速センサにより検出される車速（車体速度、車両速度）との差に基づいて算出することもできる。
【００８６】
続くステップ２では、ステップ１で算出したスリップ量がスリップ閾値以上であるか否かを判定する。ここで、スリップ閾値は、駆動輪（前輪２Ｌ，２Ｒ）の制動量がタイヤにかかる荷重と路面との抵抗によって決定する摩擦力（グリップ限界）よりも過多となったために、駆動輪の制動力を減少させて早期にスリップを抑制する必要があるか否かを判定するための判定値（閾値）となるものである。このスリップ閾値は、タイヤにかかる荷重と路面との摩擦の大きさによって決定する判定値であり、予め実験、計算、シミュレーション等に基づいてその値が設定されている。この場合、駆動輪にかかる荷重を、例えば加速度センサから車両のロール角、ピッチ角を検知することで、スリップ閾値に制限をかけるもしくは加算する等の補正を行ってもよい。
【００８７】
ステップ２で、「ＹＥＳ」、即ち、ステップ１で算出したスリップ量がスリップ閾値以上であると判定された場合は、スリップ量が大きく制動距離の増加、制動時にアンダーステアが発生することによる車両挙動の悪化、早期のアンチロックブレーキ制御介入に繋がるおそれがあるため、ステップ３に進む。一方、ステップ２で、「ＮＯ」、即ち、ステップ１で算出したスリップ量がスリップ閾値未満であると判定された場合は、ステップ７に進む。
【００８８】
ステップ３では、旋回量（横Ｇ）の算出を行う。旋回量は、旋回量検出器５７としての加速度センサから横Ｇを検出することにより算出される。なお、車輪の回転速度を検出する車輪速センサにより検出される車速と運転者のステアリング舵角を検知する舵角センサからの検出値に基づき、車両に発生する横Ｇを算出してもよい。
【００８９】
次のステップ４では、ステップ３で算出した旋回量に基づき、回生制動量の減少量と保持時間とを設定する。この場合、直進制動時（即ち、ステップ３で横Ｇがゼロのとき）に設定する回生制動量の減少量は、ステップ２でスリップ量がスリップ閾値以上であると判定した後に回生制動量を減少させるまでに増加する回生制動量と、タイヤがスリップを開始したときに路面との抵抗が静摩擦から動摩擦に切り替わることで低下したグリップ限界分とを補填するように設定する必要がある。従って、直進制動時に設定される回生制動量の減少量は、タイヤと路面との抵抗に左右されることになり、予め実験、計算、シミュレーション等に基づいてその値が設定される。
【００９０】
一方、図３に示すように、旋回制動時（即ち、ステップ３で横Ｇが発生しているとき）に設定する回生制動量の減少量は、直進制動時に対して横力分の差分量ΔＣ分だけ増加させる必要がある。横力は、算出された横Ｇに駆動輪にかかる荷重を積算することで算出することができる。この場合、駆動輪にかかる荷重は、例えば加速度センサから車両のロール角、ピッチ角を検知することにより推定算出してもよい。そして、図５に示すように、旋回制動時には、直進制動時の減少量に横Ｇ分の回生制動量の減少量が加算されて設定される。
【００９１】
また、保持時間は、電動倍力装置１７が電動アクチュエータ２１を作動させて所望の液圧を発生するまでの応答遅れによって減速度低下の発生を抑制するために設定される。この保持時間の設定は、例えば所望の液圧を発生するまでの応答遅れによって減速度低下が発生しないように、回生制動量の減少量に対応させて可変に設定してもよい。
【００９２】
次のステップ５では、回生制動量を設定された減少量にて減少させる。即ち、ステップ４で設定された回生制動量の減少量に基づき、回生制動量を減少させ、次のステップ６に進む。
【００９３】
ステップ６では、回生制動量を減少後、設定された保持時間が経過したか否かを判定する。即ち、ステップ４で設定された減少後の回生制動量が設定された保持時間継続したか否かを判定する。そして、ステップ６で、「ＹＥＳ」、即ち、設定された保持時間が経過したと判定された場合には、リターンする。一方、ステップ６で、「ＮＯ」、即ち、設定された保持時間が経過していないと判定された場合には、設定された保持時間が経過するまで監視する。これにより、電動倍力装置１７が電動アクチュエータ２１を作動させて所望の液圧を発生するまでの応答遅れによる減速度低下を防止することができる。
【００９４】
一方、ステップ２で「ＮＯ」と判定された場合のステップ７では、スリップ量が目標スリップ量以上か否かを判定する。即ち、ステップ１で算出したスリップ量が十分に低く収束しているか否かを判定する。ここで、目標スリップ量は、具体的には駆動輪（前輪２Ｌ，２Ｒ）の制動量のスリップを収束させるために、続けて回生制動量を減少させる必要があるか否かを判定するための判定値となっている。目標スリップ量は、ステップ２においてスリップ閾値にて回生制動量を減少させる必要がないと判断された際に、発生しているスリップ量によって停止距離の増加、旋回時のアンダーステア等の車両挙動への悪影響が発生しない範囲で、予め実験、計算、シミュレーション等に基づいてその値が設定される。
【００９５】
そして、ステップ７で、「ＮＯ」、即ち、スリップ量が目標スリップ量未満であると判定された場合には、スリップ量が十分に小さく車両挙動に悪影響が発生しない範囲であるので回生制動量を制限することなくリターンする。一方、ステップ７で、「ＹＥＳ」、即ち、スリップ量が目標スリップ量以上であると判定された場合には、ステップ８に進む。
【００９６】
ステップ８では、目標スリップ追従用の回生制動量の減少量、保持時間を設定する。この場合、目標スリップ量までスリップ量を減少させるための回生制動量の減少量は、ステップ４での回生制動量の減少量よりも小さい値が設定される。具体的には、目標スリップ量までスリップ量を減少させるための回生制動量の減少量（目標スリップ追従用の回生制動量の減少量）は、減速度変動が発生しないような値に設定されている。また、保持時間は、設定された回生制動量の減少量に対して電動倍力装置１７が電動アクチュエータ２１を作動させ、所望の液圧を発生するまでの応答時間に設定される。
【００９７】
次のステップ５では、回生制動量を設定された減少量にて減少させる。即ち、ステップ８で設定された回生制動量の減少量に基づき、回生制動量を減少させ、次のステップ６に進む。
【００９８】
ステップ６では、回生制動量を減少後、設定された保持時間が経過したか否かを判定する。即ち、ステップ８で設定された減少後の回生制動量が設定された保持時間継続したか否かを判定する。そして、ステップ６で、「ＹＥＳ」、即ち、設定された保持時間が経過したと判定された場合には、リターンする。一方、ステップ６で、「ＮＯ」、即ち、設定された保持時間が経過していないと判定された場合には、設定された保持時間が経過するまで監視する。これにより、電動倍力装置１７が電動アクチュエータ２１を作動させて所望の液圧を発生するまでの応答遅れによる減速度低下を防止することができる。
【００９９】
次に、回生制動量の減少量の設定について、図３、図５、図６を用いて説明する。
【０１００】
まず、図６に示すように、直進制動時には、駆動輪（前輪２Ｌ，２Ｒ）のスリップ量がスリップ閾値以上となったときに、最初の回生制動量（第１の回生制動量）を直進制動時でのグリップ限界となる制動量以下に減少させる。この場合、直進制動時には、旋回量がゼロであるので、予め設定された回生制動量の減少量（図５参照）が設定される。
【０１０１】
その後、スリップ量が目標スリップ量以下になるまで、回生制動量の減少と保持とを段階的に繰り返す。この場合、第２の回生制動の所定減少量は、第１の回生制動の所定減少量よりも小さく設定されている。これにより、過剰な制動量が継続することを抑制することができるので、車両挙動を安定に保つことができる。また、保持時間を設けることで、車両の減速度低下を抑制することができる。
【０１０２】
次に、図６に示すように、旋回制動時には、駆動輪（前輪２Ｌ，２Ｒ）のスリップ量がスリップ閾値以上となったときに、最初の回生制動量（第１の回生制動量）を旋回制動時でのグリップ限界となる制動量以下に減少させる。この場合、図３に示すように、旋回制動時に必要な回生制動量の減少量は、旋回制動時にタイヤにかかる横力の分だけ直進制動時に必要な回生制動量よりも差分量ΔＣだけ大きくする。
【０１０３】
そこで、車体１には、車両の横Ｇを検出する旋回量検出器５７が設けられている。そして、第１のＥＣＵ２７は、旋回量検出器５７により検出された横Ｇに基づいて、図５に示す特性線５８に従って旋回制動用の回生制動量の減少量を算出する。この場合、直進制動用の回生制動量と旋回制動用の回生制動量の減少量との差分量（ΔＣ）を算出して、予め設定された直進制動時の回生制動量の減少量に差分量（ΔＣ）を加算して旋回制動用の回生制動量の減少量を算出してもよい。また、実験等により予め設定された計算式を用いて旋回制動用の回生制動量の減少量を算出してもよい。
【０１０４】
その後、スリップ量が目標スリップ量以下になるまで、回生制動量の減少と保持とを段階的に繰り返す。この場合、第２の回生制動の所定減少量は、第１の回生制動の所定減少量よりも小さく設定されている。これにより、過剰な制動量が継続することを抑制することができるので、車両挙動を安定に保つことができる。また、保持時間を設けることで、車両の減速度低下を抑制することができる。
【０１０５】
かくして、第１の実施の形態によれば、駆動輪となる前輪２Ｌ，２Ｒにスリップ量を検出した場合に、モータ・ジェネレータ５５の回生制動量を減少させることにより、大きな減速度変動を発生させることなく前輪２Ｌ，２Ｒにかかる回生制動力を早期に減少することができる。そして、前輪２Ｌ，２Ｒがスリップしていることが検出されたときの第１の回生制動の所定減少量を、その後の所定保持時間経過時のスリップ抑制制御での第２の回生制動の所定減少量よりも大きく、かつ、車両の旋回量に応じて変化させて設定している。
【０１０６】
これにより、旋回制動時においても直進制動時と同様に、駆動輪に過剰な回生制動量がかかる状態が継続するのを抑制することができる。その後は、電動倍力装置１７が電動アクチュエータ２１を作動させて所望の液圧を発生するまでの応答遅れによる減速度変動が発生しないように、回生制動量を保持してスリップ量が目標スリップ量未満となるまで回生制動量の減少と保持とを段階的に繰り返す。これにより、早期にスリップを収束させ、制動距離の増加の抑制、旋回時に発生するアンダーステアの抑制、およびアンチロックブレーキ制御の早期介入の抑制を図ることができる。
【０１０７】
次に、図７は、本発明の第２の実施の形態を示している。本実施の形態の特徴は、第１の回生制動の所定減少量を複数に分割したことにある。なお、第２の実施の形態では、上述した第１の実施の形態と同一の構成要素に同一符号を付し、その説明を省略するものとする。
【０１０８】
旋回量が大きいときには、横力が大きくなるので、旋回制動時でのグリップ限界となる制動量以下まで回生制動量を減少させる第１の回生制動の減少量も大きくなる。この場合、早期にスリップを抑制するために、第１の回生制動の減少量を大きくすると、駆動輪（前輪２Ｌ，２Ｒ）から従動輪（後輪３Ｌ，３Ｒ）へ急激に制動力が移動することになる。これにより、前輪２Ｌ，２Ｒ側と後輪３Ｌ，３Ｒ側との間で急激な荷重（輪荷重）移動が発生するので、車両挙動が不安定になるおそれがある。
【０１０９】
そこで、第１の回生制動の所定減少量が制限値以上となる場合には、第１の回生制動の所定減少量を複数（２段階）に分割する構成としている。この制限値は、回生制動量を減少させたときの前後輪間の荷重移動により、駆動輪（前輪２Ｌ，２Ｒ）にかかる荷重が減少することで、グリップ限界が急激に減少することに伴いアンダーステアが発生しない範囲で設定する。この場合、前後輪間の荷重移動に基づく前記制限値は、タイヤのグリップ限界がタイヤと路面との抵抗によって左右されることから、予め実験、計算、シミュレーション等に基づいて設定される。なお、前後輪間の荷重移動は、例えば前後方向の加速度センサで検出してもよく、前後輪側の車高センサによる検出信号によっても求めることができる。また、車両のピッチセンサ等でも検出することができる。
【０１１０】
かくして、第２の実施の形態についても第１の実施の形態と同様に、車両挙動を安定に保つと共に制動距離を短くすることができる。特に、第２の実施の形態では、回生制動量の減少量に制限値を設け、駆動輪から従動輪へ一度に移動する制動量を制限し、保持時間を分割して荷重移動を抑制する。これにより、急激な荷重移動を防止しながら、制動距離の増加の抑制、旋回時に発生するアンダーステアの抑制、およびアンチロックブレーキ制御の早期介入の抑制を図ることができる。
【０１１１】
なお、上述した第１の実施の形態では、図４に示す制御処理を第１のＥＣＵ２７で行う場合を例に挙げて説明した。しかし、これに限らず、例えば図４に示す制御処理を第３のＥＣＵ５４または第２のＥＣＵ３５で行う構成としてもよい。また、それ以外の車両に配置されているＥＣＵで行う構成としてもよい。このことは、第２の実施の形態についても同様である。
【０１１２】
また、上述した第１の実施の形態では、スリップ量検出器５６と旋回量検出器５７とを第２のＥＣＵ３５に接続する構成とした場合を例に挙げて説明した。しかし、これに限らず、スリップ量検出器５６と旋回量検出器５７とを、例えば第１のＥＣＵ２７または第３のＥＣＵ５４に接続する構成としてもよい。また、それ以外の車両に配置されているＥＣＵに接続する構成としてもよい。このことは、第２の実施の形態についても同様である。
【０１１３】
また、上述した第２の実施の形態では、第１の回生制動の所定減少量を２段階に分割する構成としている。しかし、本実施の形態は、これに限らず、例えば第１の回生制動の所定減少量を３段階以上に分割してもよい。
【０１１４】
また、上述した実施の形態では、車両走行用（車両駆動用）の電動機となるモータ・ジェネレータ５５により前輪２Ｌ，２Ｒを駆動する構成とした場合を例に挙げて説明した。即ち、駆動輪が前輪２Ｌ，２Ｒの場合を例に挙げて説明した。しかし、これに限らず、例えば、モータ・ジェネレータ（電動機）により後輪を駆動する構成（駆動輪が後輪の構成）、または、前輪と後輪（四輪）を駆動する構成（駆動輪が前後輪の構成）としてもよい。
【０１１５】
以上説明した実施態様に基づくブレーキ制御装置として、例えば以下に述べる態様のものが考えられる。
【０１１６】
第１の態様としては、車両に設けられる回生電動機の回生制動量を制御するとともに、各車輪に設けられ液圧を受けて移動する摩擦部材を有する摩擦制動装置を制御することにより前記車両を制動するブレーキ制御装置であって、前記車輪のスリップ量を検出するスリップ量検出手段と、前記回生電動機による回生制動中に、前記スリップ量検出手段の検出値がスリップ閾値を超えたときに、前記車輪がスリップしていると判断し、前記回生制動量を所定量減少させたのち、減少させた回生制動量を所定時間保持するスリップ抑制制御を繰り返して行う回生スリップ制御手段と、を有し、該回生スリップ制御手段は、前記車輪がスリップしていることが検出されたときの第１の回生制動の所定減少量を、その後の所定保持時間経過時の前記スリップ抑制制御での第２の回生制動の所定減少量よりも大きく、かつ、前記車両の旋回量に応じて変化させて設定されている。
【０１１７】
第２の態様としては、第１の態様において、前記車輪がスリップしていることが検出されたときの前記第１の回生制動の所定減少量が制限値よりも大きくなる場合には、前記第１の回生制動の所定減少量を複数に分割して、前記所定保持時間経過時までに回生制動量を減少させる。
【符号の説明】
【０１１８】
２Ｌ，２Ｒ  前輪
３Ｌ，３Ｒ  後輪
６  摩擦制動装置
７  ブレーキペダル
１７  電動倍力装置
２７  第１のＥＣＵ
３３  液圧供給装置（ＥＳＣ）
３５  第２のＥＣＵ
５４  第３のＥＣＵ
５５  モータ・ジェネレータ（回生電動機）
５６  スリップ量検出器（スリップ量検出手段）
５７  旋回量検出器
【図１】
2018088735.tif 000003
【図２】
2018088735.tif 000004
【図３】
2018088735.tif 000005
【図４】
2018088735.tif 000006
【図５】
2018088735.tif 000007
【図６】
2018088735.tif 000008
【図７】
2018088735.tif 000009